(57)【要約】【課題】液体がかかってボタンとボタン穴との隙間から侵入しても、液体がボタンスイッチにかかるのを防止する。【解決手段】複数のボタンスイッチ２１が設けられた回路基板２０を収容するケースと、ボタン穴５１が設けられた表示板５０と、ガイド部３１を有するガイドプレート３０と、ボタン穴５１に頭部４１ｂを露出しガイド部３１に軸部４１ａを貫通するボタン４１をフレーム４２に上下動自在に支持し、かつガイドプレートに取り付けられるボタンユニット４０とを備える。ガイドプレートの上面に、ボタンの頭部４１ｂとボタン穴５１との隙間から侵入する液体を受けて、該液体を回路基板外に導く水路３５を設け、ガイド部を、水路に受けた液体のガイド部への侵入を防ぐ上方向に狭まった断面ハの字状の環状リブに形成した。【選択図】図４
2010129362.tif 000002
【特許請求の範囲】
【請求項１】
上面に複数のボタンスイッチが設けられた回路基板を収容するケースと、
ボタン穴が設けられた表示板と、
前記ボタンスイッチの位置に上方向に狭まった断面ハの字状の環状リブに形成されたガイド部を有するガイドプレートと、
前記ボタン穴に頭部を露出し前記ガイド部に軸部を貫通するボタンをフレームに上下動自在に支持し、かつ前記ガイドプレートに取り付けられるボタンユニットとを備えたことを特徴とする電気機器。
【請求項２】
前記ガイドプレートの上面に、前記ボタンの頭部と前記ボタン穴との隙間から侵入する液体を受けて該液体を前記回路基板外に導く水路を設けたことを特徴とする請求項１に記載の電気機器。
【請求項３】
前記ボタンの頭部の周囲に、前記表示板の下面に沿って突出する鍔部を設け、該鍔部の内周側に面取りを施したことを特徴とする請求項１または２に記載の電気機器。
【請求項４】
前記ケース内に、前記ガイドプレートの前記水路に接続した前記ケースの側面に開口する排水路を設けたことを特徴とする請求項１から請求項３までのいずれか１項に記載の電気機器。
【請求項５】
前記ガイドプレートに、前記ボタンユニットの前記フレームを支持するフレーム受け部を設けるとともに、前記フレームの周囲に、前記フレーム受け部との間に嵌合して前記ボタンユニットを前記ガイドプレートに取り付ける爪部を設けたことを特徴とする請求項１から請求項４までのいずれか１項に記載の電気機器。
【請求項６】
前記ケースの天板に開口部を開設し、前記表示板により前記開口部を塞ぐとともに、前記表示板の下面に設けられた両面テープにより、前記表示板を前記ボタンユニットの前記フレームの上面に取り付ける構造を具備することを特徴とする請求項１から請求項５までのいずれか１項に記載の電気機器。
【請求項７】
前記表示板は前記ケースの天板であることを特徴とする請求項１から請求項５までのいずれか１項に記載の電気機器。
【請求項８】
前記ケースの天板に凹部を設け、該凹部の底面部を前記ガイドプレートとして形成し、
前記凹部の上端の開口部を前記表示板で塞ぐとともに、前記表示板の下面に設けられた両面テープにより、前記表示板を前記ボタンユニットの前記フレームの上面に取り付ける構造を具備することを特徴とする請求項１から請求項５までのいずれか１項に記載の電気機器。
【発明の詳細な説明】
【技術分野】
【０００１】
本発明は、ボタンスイッチの防水を図った電気機器に関する。
【背景技術】
【０００２】
従来より、家電製品を始めとする電気機器において、ボタンスイッチの防水を図ることが行われている。
【０００３】
図９は、従来の洗濯機のボタンスイッチの防水構造を示す（例えば特許文献１の図１を参照）。洗濯機は、前方に向けて下がる向きに傾斜した操作パネル１０１の下方にボタンスイッチ１０２（特許文献１ではスイッチ本体部）を備え、このボタンスイッチ１０２はボタンスイッチ１０２の上面に設けられた取り付け板１０４により内部パネル１０３にネジ止めされている。取り付け板１０４の前部及び左右両側部には取り付け板１０４と一体に形成されて上方に延びる防水板１０５が設けられ、前部と左右両側部に形成された防水板１０５の間にはそれらの間を切り欠いて水を排出する流出口１０６が形成されている。また、流出口１０６の箇所ではそれぞれ下方向への水案内板１０７が連設されている。ボタンスイッチ１０２から延びる軸１０８の上端に取り付けられたボタン１０９は、操作パネル１０１に形成したボタン穴１１０から上方に突出されている。なお、以下説明する図面の図中に「前」「後」「左」「右」などが記入されているものがあるが、これは説明のためであって、実施の配置はこれには限定されない。
【０００４】
この防水構造によれば、操作パネル１０１に水がかかって、ボタン１０９と操作パネル１０１のボタン穴１１０との間の隙間から水が侵入すると、その水を前部、左右両側部の三方の防水板１０５で囲まれた取り付け板１０４で受けて、前部と左右両側部の防水板１０５の間に形成された流出口１０６から排水し、流出口１０６からの水がそれぞれの案内板１０７により下方に案内される。
【０００５】
【特許文献１】実開平５−１４８２号公報
【発明の開示】
【発明が解決しようとする課題】
【０００６】
しかしながら、特許文献１に開示された防水構造は比較的簡単な構造であり、複数のボタンに適用することは可能ではあるが、軸１０８と取り付け板１０４との摺動部の防水対策が取られていないので、この摺動部からボタンスイッチ１０２に水が侵入するおそれがある。また、流出口１０６からの水をボタンスイッチ１０２の接続端子１１１の上方に位置する案内板１０７で案内して落下させているので、水の飛沫が接続端子１１１にかかる恐れが多分にある。
【０００７】
このように、従来は、電気機器に水などの液体がかかって、ボタンの箇所から液体が侵入した場合に、ボタンスイッチに液体がかかる可能性があり、不具合が生じる懸念があった。
【０００８】
本発明は、斯かる問題点に鑑みてなされたものであり、上記問題点を解決する電気機器を提供することを目的とする。
【課題を解決するための手段】
【０００９】
本発明は、上記課題を解決すべく、以下に掲げる構成とした。
本発明の電気機器は、上面に複数のボタンスイッチが設けられた回路基板を収容するケースと、ボタン穴が設けられた表示板と、前記ボタンスイッチの位置に上方向に狭まった断面ハの字状の環状リブに形成されたガイド部を有するガイドプレートと、前記ボタン穴に頭部を露出し前記ガイド部に軸部を貫通するボタンをフレームに上下動自在に支持し、かつ前記ガイドプレートに取り付けられるボタンユニットとを備えたことを特徴とする。
本発明の電気機器は、前記ガイドプレートの上面に、前記ボタンの頭部と前記ボタン穴との隙間から侵入する液体を受けて該液体を前記回路基板外に導く水路を設けたことを特徴とする。
本発明の電気機器は、前記ボタンの頭部の周囲に、前記表示板の下面に沿って突出する鍔部を設け、該鍔部の内周側に面取りを施したことを特徴とする。
本発明の電気機器は、前記ケース内に、前記ガイドプレートの前記水路に接続した前記ケースの側面に開口する排水路を設けたことを特徴とする。
本発明の電気機器は、前記ガイドプレートに、前記ボタンユニットの前記フレームを支持するフレーム受け部を設けるとともに、前記フレームの周囲に、前記フレーム受け部との間に嵌合して前記ボタンユニットを前記ガイドプレートに取り付ける爪部を設けたことを特徴とする。
本発明の電気機器は、前記ケースの天板に開口部を開設し、前記表示板により前記開口部を塞ぐとともに、前記表示板の下面に設けられた両面テープにより、前記表示板を前記ボタンユニットの前記フレームの上面に取り付ける構造を具備することを特徴とする。
本発明の電気機器において、前記表示板は前記ケースの天板であることを特徴とする。
本発明の電気機器は、前記ケースの天板に凹部を設け、該凹部の底面部を前記ガイドプレートとして形成し、前記凹部の上端の開口部を前記表示板で塞ぐとともに、前記表示板の下面に設けられた両面テープにより、前記表示板を前記ボタンユニットの前記フレームの上面に取り付ける構造を具備することを特徴とする。
【発明の効果】
【００１０】
本発明によれば、電気機器に液体がかかってボタンとボタン穴との隙間から液体が侵入しても、ボタンスイッチに液体がかかるのを防止することができる。
【発明を実施するための最良の形態】
【００１１】
本発明に係る電気機器の実施形態について、図面を参照しながら説明する。
【００１２】
図１は、本発明の電気機器の実施形態としてのプロジェクタを示す斜視図である。図２は、プロジェクタの要部の断面図である。図３は、プロジェクタの要部の分解斜視図である。
【００１３】
図１〜図３に示すように、プロジェクタ１０はほぼ直方体のケース１１を備え、ケース１１内には、上面にボタンスイッチ２１が形成された回路基板２０と、ガイド部３１を有するガイドプレート３０と、ボタン４１を有するボタンユニット４０とが、この順に下方から収容されている。ケース１１の天板１２には、周囲にフランジ１３ａを有する開口部１３が開設され、ボタン４１の頭部４１ｂが露出されるボタン穴５１を有する表示板５０をフランジ１３ａに支持させることによって、表示板５０により開口部１３が閉じられている。ケース１１の前面には投影レンズ１４等が配設され、後面には各種の接続端子１５等が配設されている。ケース１１の左右両側面には、すのこ状の通気口１６が形成されている。
【００１４】
ガイドプレート３０には上面に凹陥部３４が形成され、凹陥部３４を画成する内周壁３４ａは、ボタンユニット４０の外郭に倣った形状を有し、凹陥部３４にボタンユニット４０が収容される。凹陥部３４内には、ボタン４１の軸部４１ａを挿通するガイド部３１と、ボタンユニット４０のフレーム４２を受けるフレーム受け部３２と、ガイド部３１及びフレーム受け部３２の間の水路３５とが設けられている。ガイドプレート３０には、水路３５と接続した排水路３６がガイドプレート３０の長手方向一端まで設けられ、この排水路３６は、図２に示すように、ケース１１の左右両側の一方の通気口１６に向けて下る向きに傾斜して、通気口１６に開口する流出路３７に接続されている。図１に示すように、誤ってコップ１７の液体１８を天板１２にこぼして、液体１８がボタン４１の頭部４１ｂと表示板５０のボタン穴５１との隙間から侵入すると、液体１８がガイドプレート３０の水路３５で受けられ、水路３５及び排水路３６を通って回路基板２０の外方に排水され、さらに流出路３７を通って通気口１６からケース１１外に排出されるようになっている。
【００１５】
ボタンユニット４０は、複数のボタン４１と、枠状のフレーム４２と、ボタン４１をフレーム４２に上下動自在に片持ち状に支持する舌片４２ａとからなり、これらボタンユニット４０の全体は樹脂成形により一体に形成されている。フレーム４２の外面の複数箇所には爪部４３が設けられている。ガイドプレート３０の凹陥部３４に収容されたボタンユニット４０は、図４に示すように、フレーム４２がフレーム受け部３２に支持される。そして図５に示すように、ボタンユニット４０の複数個の爪部４３がガイドプレート３０の凹陥部３４の内周壁３４ａに設けられた対応する穴部３８に嵌合し、ボタンユニット４０がガイドプレート３０に固定される。
【００１６】
表示板５０は下面に両面テープ５２が設けられており、両面テープ５２によりボタンユニット４０のフレーム４２及びガイドプレート３０の上面部である非凹陥部３３に固定される。
【００１７】
ボタン４１は、図４に示すように、ガイドプレート３０のガイド部３１を貫通して回路基板２０のボタンスイッチ２１に対向する軸部４１ａと、表示板５０のボタン穴５１から露出する頭部４１ｂとからなり、頭部４１ｂを指で押すことによって、軸部４１ａが回路基板２０のボタンスイッチ２１を押圧して、ボタンスイッチ２１をＯＮ／ＯＦＦする。
【００１８】
ボタン４１の頭部４１ｂには、水平方向の環状の鍔部４１ｃが設けられており、図６に示すように、この鍔部４１ｃによりボタン４１の頭部４１ｂとボタン穴５１との隙間から侵入する液体１８を、ボタン４１の軸部４１ａへの方向から反らすようになっている。この鍔部４１ｃは、表示板５０の下面に位置し、ボタン４１の抜け止めの役目も兼ねている。また、鍔部４１ｃの内周面側には面取り部４１ｄが設けられており、頭部４１ｂに付着して頭部４１ｂの下面に回った液体が軸部４１ａの近くまで伝わるのを面取り部４１ｄで防止している。
【００１９】
また、ガイド部３１を上方向に狭まった断面ハの字状の環状リブに形成し、ガイド部３１の上端３１ａをボタン４１の頭部４１ｂの鍔部４１ｃの内周面側で軸部４１ａに近接させて、上端３１ａと軸部４１ａとの間に軸部４１ａの摺動が可能な所定の間隙４４を上下方向に短い距離に形成している。このようなガイド部３１によれば、図７に示すように、水路３５に一時的に液体１８が溜まって間隙４４に侵入した場合に、間隙４４の上下方向の距離が短いので間隙４４の液体１８に作用する毛細管現象による吸引力が小さく、間隙４４のところで液体１８が止まり、ガイドプレート３０の下方に侵入して回路基板２０に落下するのを防ぐことができる。
【００２０】
これに対し、液体１８がガイドプレート３０の下方に侵入するのを防止するために、図８に示すように、ガイド部３１を上方向にフラットな環状リブに形成することも考えられる。しかしながら、この場合には、ガイド部３１と軸部４１ａとの間の所定の間隙４４が上下方向に長い距離に形成されるために、間隙４４に侵入した液体１８に作用する毛細管現象による吸引力が大きく、液体１８は間隙４４を通ってガイドプレート３０の下方に侵入する問題がある。本実施の形態では、上記ガイド部３１の構造を採用することによりこの問題を解決することができる。
【００２１】
本実施の形態のプロジェクタ１０は、以上のように構成され、ガイドプレート３０に水路３５及び排水路３６を設けているので、ボタン４１の頭部４１ｂと表示板５０のボタン穴５１との隙間から液体１８が侵入すると、液体１８は水路３５で受けられて、水路３５及び排水路３６を通って回路基板２０の外方に排水される。さらに、流出路３７を通って通気口１６からケース１１外に排出される。また、水路３５に一時的に液体１８が溜まって、ボタン４１の軸部４１ａとガイド部３１との間隙４４に侵入しても、ガイド部３１を上方向に狭まった断面ハの字状の環状リブに形成して、ガイド部３１の上端３１ａとボタン４１の軸部４１ａとの間の間隙４４を上下方向に短い距離に形成しているので、間隙４４の液体１８に作用する毛細管現象による吸引力を小さくでき、液体１８を間隙４４のところで止めることができる。これにより、液体１８がガイドプレート３０の下方に侵入して回路基板２０に落下するのを防いで、ボタンスイッチ２１に液体１８がかかるのを防止することができる。
【００２２】
しかも、本実施の形態では、防水のために防水用パッキンを組みことが不要であり、また、フィルムの一体成形でボタンを覆うインモールド成形に比べ、ボタン形状及び仕上げを自由に設計でき、デザイン自由度が向上する。キーボードのように複数のボタンが各々独立している場合は、ボタンスイッチへ直接ボタンを取り付ける構造が単純な反面、取り付け作業が煩雑であるが、本実施の形態では、複数のボタン４１をフレーム４２に一体成形したボタンユニット４０の形態に構成しているので、ガイドプレート３０にボタンユニット４０の容易な取り付け構造と水路３５とを形成することが可能となる。また、ガイドプレート３０、ボタンユニット４０及び表示板５０を相互に組み立てる際、基本的に、これら部材同士の嵌合で済み、組立が容易である。ボタンユニット４０は、フレーム４２とガイドプレート３０との嵌合以外に、表示板５０のフレーム４２への両面テープ５２による貼り付けを行うので、ボタン４１のがたつきがなくなり、音声ビビリの発生を防ぐことができる。
【００２３】
なお、天板１２に開口部１３を設けて、ボタン穴５１を有する表示板５０を開口部１３に装着する代わりに、天板１２に直接ボタン穴５１を開口することも可能である。さらに、水路３５からの排水はケース１１の通気口１６に導いて、通気口１６を利用してケース１１外に排出するようにしたが、回路基板２０外に導いた後、ケース１１の回路基板２０外の部分の底面に開口を設けて排出するようにしてもよい。
【００２４】
さらに、ガイドプレート３０を天板１２と別体とせずに、ケース１１の天板１２を陥没させることによって皿状の凹部を設け、凹部の底面部をガイドプレート３０として形成することもできる。この凹部の上端の開口部は表示板５０で塞がれる。
【００２５】
以上、本発明の実施形態をプロジェクタを例にとって説明したが、本発明は、プロジェクタ以外の種々の電気機器に適用することができる。また、本発明は、実施形態に限定されるものではなく、その趣旨を逸脱しない範囲内において、種々の変更が加えられて実施されるものである。
【図面の簡単な説明】
【００２６】
【図１】本発明の実施の形態としてのプロジェクタを示す斜視図である。
【図２】本発明の実施の形態としてのプロジェクタの幅方向の一部を省略して示す断面図である。
【図３】本発明の実施の形態としてのプロジェクタの要部を示す分解斜視図である。
【図４】本発明の実施の形態としてのプロジェクタの要部を示す断面図である。
【図５】本発明の実施の形態としてのプロジェクタに設けられたボタンユニットのフレームの固定法を示す断面図である。
【図６】ボタン穴の隙間から侵入する液体をボタンの軸部への方向から反らすことを示す断面図である。
【図７】ボタンのガイド部のところでガイドプレートに溜まった液体が下方に侵入するのを防止するところを示す断面図である。
【図８】比較例において、ボタンのガイド部のところでガイドプレートに溜まった液体が下方に侵入する箇所を示す断面図である。
【図９】従来の洗濯機のボタンスイッチの防水構造を示す断面図である。
【符号の説明】
【００２７】
１０  プロジェクタ
１１  ケース
１２  天板
１３  開口部
１６  通気口
１８  液体
２０  回路基板
２１  ボタンスイッチ
３０  ガイドプレート
３１  ガイド部
３１ａ  上端
３２  フレーム受け部
３４  凹陥部
３５  水路
３６  排水路
３７  流出路
３８  穴部
４０  ボタンユニット
４１  ボタン
４１ａ  軸部
４１ｂ  頭部
４１ｃ  鍔部
４１ｄ  面取り部
４３  爪部
４４  間隙
４２  フレーム
５０  表示板
５１  ボタン穴
５２  両面テープ
【図１】
2010129362.tif 000003
【図２】
2010129362.tif 000004
【図３】
2010129362.tif 000005
【図４】
2010129362.tif 000006
【図５】
2010129362.tif 000007
【図６】
2010129362.tif 000008
【図７】
2010129362.tif 000009
【図８】
2010129362.tif 000010
【図９】
2010129362.tif 000011